(57)【要約】【課題】従来の電気掃除機は、隔壁が蓋体の内側から垂直的に伸びているため、吸込力の強い電気掃除機では、この隔壁が撓むのを防止するために補強リブを大きくして、強度を上げる必要があった。補強リブを大きくすると、この補強リブによって集塵袋が広がるのを抑えられてしまうので、結果として塵埃の収容量が減るという問題があった。【解決手段】集塵室の開口部に開閉可能に設けられた蓋体の内側に、シール部材と接して前記集塵室内の気密を保持する隔壁が設けられ、この隔壁を前記集塵室の後方に位置して設け、その一部が前記集塵室の前方に向かって膨らんだ膨出部を備えた。【選択図】図２
2007202878.tif 000002
【特許請求の範囲】
【請求項１】
前方に集塵室を配置し後方に電動送風機を配置した掃除機本体と、前記集塵室の開口部に開閉可能に設けられた蓋体と、前記集塵室に設けられた集塵袋と、前記集塵室と前記蓋体との間の気密を確保するシール部材とを設け、
前記蓋体の内側には前記シール部材と接して前記集塵室内の気密を保持する隔壁が設けられ、
前記隔壁は前記集塵室の後方に位置して設けられており、その一部が前記集塵室の前方に向かって膨らんだ膨出部を備えたことを特徴とする電気掃除機。
【請求項２】
前方に集塵室を配置し後方に電動送風機を配置した掃除機本体と、前記集塵室の開口部に開閉可能に設けられた蓋体と、前記集塵室に設けられた集塵袋と、前記集塵室と前記蓋体との間の気密を確保するシール部材と、前記蓋体の内側に設けられたフィルター収納部と、該フィルター収納部に配置されたフィルターと、前記蓋体の内側に設けられ前記フィルターを保持するフィルター保持部材とを設け、
前記蓋体の内側には前記シール部材と接して前記集塵室内の気密を保持する隔壁が設けられ、
前記隔壁は前記フィルター保持部材の後方に位置して設けられており、その一部が前記フィルター保持部材に向かって膨らんだ膨出部を備えたことを特徴とする電気掃除機。
【請求項３】
請求項１又は２において、
前記隔壁の膨出部は、前記掃除機本体の幅方向の略中央部が前記集塵室に向って最も膨出するように湾曲した形状であることを特徴とする電気掃除機。
【請求項４】
請求項３において、
前記フィルター収納部の外周はリブで覆われており、該リブのうち後方に位置するリブはリブ内に向かって凹んだ凹み部を備え、前記膨出部は前記凹み部に沿った形状を成していることを特徴とする電気掃除機。
【請求項５】
請求項１乃至４の何れかにおいて、
前記フィルター保持部材は前記蓋体に対して回動自在に配置すると共に、前記フィルター保持部材の回転軸幅を前記蓋体の凸部の幅よりも小さくしたことを特徴とする電気掃除機。
【発明の詳細な説明】
【技術分野】
【０００１】
本発明は、電気掃除機に関するものである。
【背景技術】
【０００２】
図８及び図９に従来の電気掃除機の構成を示す。図８は従来の電気掃除機の本体中央断面を示す図であり、図９は図８のＢ部を拡大した図である。
【０００３】
図８において、集塵室８０１には、塵埃を溜める集塵袋８０３が設けてあり、蓋体802を開閉して集塵袋８０３の交換を行う。集塵室８０１と蓋体８０２との間には、気密を確保するシール部材９０１が設けてある。従来構造では、蓋体８０２の隔壁９０２とシール面９０３は垂直に位置していた。また、隔壁９０２の補強リブ９０４を複数個設けていた。このような技術は例えば、特許文献１に記載されている。
【０００４】
【特許文献１】特開２００５−２９６５３１号公報
【発明の開示】
【発明が解決しようとする課題】
【０００５】
しかしながら、上記従来技術においては、隔壁９０２は蓋体８０２の内側から垂直的に伸びているため、吸込力の強い電気掃除機では、この隔壁９０２が撓むのを防止するために補強リブ９０４を大きくして、強度を上げる必要があった。補強リブ９０４を大きくすると、この補強リブ９０４によって集塵袋８０３が広がるのを抑えられてしまうので、結果として塵埃の収容量が減るという問題があった。
【０００６】
また、蓋体８０２を透明材料又は半透明材料で成形した場合、隔壁９０２の上端部905（蓋体８０２と接する側）が外観から見える。意匠性向上を図るために外観から見える隔壁９０２の上端部９０５の位置や形状を変更する場合、この隔壁９０２の位置や形状に合わせてシール面９０３及びシール部材９０１の位置や形状も同時に変更する必要があり、コストが増大するといった問題があった。
【０００７】
本発明の目的は上記課題を解決し、補強リブを大きくすることなく隔壁の強度を向上させ、さらには塵埃の収容量を増やすことのできる電気掃除機を提供することにある。
【０００８】
また、本発明の他の目的は、透明な蓋体を用いた場合の外観意匠性を向上させつつ、コストの増大を抑えた電気掃除機を提供することにある。
【課題を解決するための手段】
【０００９】
上記目的を達成するために本発明の特徴とするところは、前方に集塵室を配置し後方に電動送風機を配置した掃除機本体と、前記集塵室の開口部に開閉可能に設けられた蓋体と、前記集塵室に設けられた集塵袋と、前記集塵室と前記蓋体との間の気密を確保するシール部材とを設け、前記蓋体の内側には前記シール部材と接して前記集塵室内の気密を保持する隔壁が設けられ、前記隔壁は前記集塵室の後方に位置して設けられており、その一部が前記集塵室の前方に向かって膨らんだ膨出部を備えたことにある。
【００１０】
また、本発明の特徴とするところは、前方に集塵室を配置し後方に電動送風機を配置した掃除機本体と、前記集塵室の開口部に開閉可能に設けられた蓋体と、前記集塵室に設けられた集塵袋と、前記集塵室と前記蓋体との間の気密を確保するシール部材と、前記蓋体の内側に設けられたフィルター収納部と、該フィルター収納部に配置されたフィルターと、前記蓋体の内側に設けられ前記フィルターを保持するフィルター保持部材とを設け、前記蓋体の内側には前記シール部材と接して前記集塵室内の気密を保持する隔壁が設けられ、前記隔壁は前記フィルター保持部材の後方に位置して設けられており、その一部が前記フィルター保持部材に向かって膨らんだ膨出部を備えたことにある。
【００１１】
さらに本発明の特徴とするところは、上記各手段に加え、前記隔壁の膨出部を、前記掃除機本体の幅方向の略中央部が前記集塵室に向って最も膨出するように湾曲した形状にしたことにある。
【００１２】
さらにまた本発明の特徴とするところは、上記各手段に加え、前記フィルター収納部の外周はリブで覆われており、該リブのうち後方に位置するリブはリブ内に向かって凹んだ凹み部を備え、前記膨出部は前記凹み部に沿った形状を成していることにある。
【００１３】
また、本発明の特徴とするところは、上記各手段に加え、前記フィルター保持部材は前記蓋体に対して回動自在に配置すると共に、前記フィルター保持部材の回転軸幅を前記蓋体の凸部の幅よりも小さくしたことにある。
【発明の効果】
【００１４】
本発明によれば、シール部材と接して集塵室内の気密を保持する隔壁の一部に集塵室の前方に向かって膨らんだ膨出部を備えるようにしているので、補強リブを大きくすることなく隔壁の強度を向上させ、さらには塵埃の収容量を増やすことのできる電気掃除機を提供できる。
【００１５】
また、本発明によれば、シール部材と接して集塵室内の気密を保持する隔壁の一部に集塵室の前方に向かって膨らんだ膨出部を備え、この膨出部をフィルター保持部材の枠の凹み部に沿った形状を成しているので、透明な蓋体を用いた場合の外観意匠性を向上させつつ、コストの増大を抑えた電気掃除機を提供することができる。
【発明を実施するための最良の形態】
【００１６】
以下、本発明に係る実施例を添付の図面に基づいて説明する。
【実施例１】
【００１７】
図３は本発明の一実施例に係る電気掃除機の全体外観図である。
【００１８】
３０１は被掃除面と接触して被掃除面上の塵埃を吸込む吸口体、３０２は一端が吸口体３０１と接続された延長管、３０３は延長管３０２の他端と接続された手元操作部、304は手元操作部３０３と接続されたホース、３０５はホース３０４が接続された掃除機本体である。吸口体３０１から吸引された塵埃を延長管３０２，手元操作部３０３，ホース
３０４を通り、掃除機本体３０４の集塵室に集塵される。
【００１９】
次に掃除機本体３０５の構成を図１及び図４を用いて説明する。図１は本発明の一実施例に係る掃除機本体３０５の縦断面図、図４は本発明の一実施例に係る掃除機本体の外観図である。
【００２０】
図１及び図４において、掃除機本体３０５には、その前方に塵埃を収容する集塵室401が形成されている。この集塵室４０１は上方に向かって開口している。４０２は集塵室
４０１の開口を覆う開閉自在な蓋体である。１０１は吸引力を発生させるための電動送風機であり、掃除機本体３０５の後方に配置されている。１０２は集塵室４０１内に配置され、塵埃を捕集する集塵袋である。この集塵袋１０２は蓋体４０２を開放することにより、集塵室４０１から取り外すことができる。
【００２１】
４０３は蓋体４０２の内側に形成されたフィルター収納部であり、このフィルター収納部は外周をリブで覆われている。１０３は蓋体４０２の内側に配置されフィルター収納部４０３に収納されるフィルターであり、１０４はフィルター１０３を蓋体４０２の内側に保持するためのフィルター保持部材である。フィルター保持部材１０４の構成を図５乃至図７に示す。
【００２２】
図５及び図７は本発明の一実施例に係る蓋体４０２を内側から見た斜視図である。図５及び図７において、７０１はフィルター保持部材１０４の回動軸であり、この回動軸701によりフィルター保持部材１０４は蓋体４０２に対して回動自在に設けられている。そして、フィルター保持部材１０４には消臭用のフィルター１０３が収納され、フィルター保持部材１０４を開放することにより、フィルター１０３を出し入れすることができる。
【００２３】
フィルター保持部材１０４は、格子状の複数のリブ１０５が形成されており、その外周を枠１０６で覆われている。
【００２４】
次に図２及び図６を用いて本発明に係る一実施例の構成を説明する。図２は図１におけるＡ部拡大図であり、図６は本発明の一実施例に係る蓋体４０２を内側（裏面側）から見た図である。
【００２５】
図２において、２０１は蓋体４０２と集塵室４０１の間には気密を確保するためシール部材であり、蓋体４０２の隔壁２０２はこのシール部材２０１と接することにより気密を確保している。２０４は隔壁２０２の強度を保つために複数本設けられた補強リブであり、その一部にフィルター保持部材１０４の回動軸７０１が取り付けられている。
【００２６】
本実施例では、蓋体４０２の外表面とシール部材２０１との間において、隔壁２０２の位置がシール面２０３よりも集塵室４０１側（前方側）に膨らんだ形状となっており（図６）、膨出部２０５が形成されている。この隔壁２０２の膨出部２０５は、掃除機本体の幅方向の略中央部が集塵室４０１に向って最も膨出するように湾曲した形状となっている。またこの膨出部２０５の後方側には空間部２０６が形成されている。この空間部２０６は、金型構造上アンダーカットになるが、スライド金型を用いることにより射出成形可能にしている。更にスライド構造であるため、隔壁２０２は垂直に位置する必要性がなく傾斜した形状でも成形することができる。また、隔壁２０２は空間部２０６の周囲が縦断面形状略Ｌ字状になるため強度が向上する。よって補強リブ２０４は小さくすることができ、集塵袋１０２の広がりを阻止するのを防ぎ集塵量の増大を図ることができると共に、集塵袋１０２の破損を防止することができる。
【００２７】
蓋体４０２を透明又は半透明材料で構成した場合、蓋体４０２から延びた隔壁２０２の上端部２０５ａ，補強リブ２０４の上端部などが蓋体４０２の外表面を通して見えてしまう。このため、この隔壁２０２の上端部２０５ａ，補強リブ２０４の上端部などが掃除機の外観意匠に大きく影響を与えることになる。本実施例では、隔壁２０２の一部に、集塵室４０１側（前方側）に膨らんだ形状を成した膨出部２０５を形成しているので、補強リブ２０４の上端部を小さくできると共に、隔壁２０２の上端部２０５ａが柔らかい曲線状となり、掃除機の外観意匠を向上することができる。
【００２８】
次に膨出部２０５とフィルター収納部４０３との関係について、図６を用いて説明する。フィルター収納部４０３は、蓋体４０２のほぼ中央部に設けられ、蓋体４０２の内側
（裏面側）から集塵室４０１側に向かって延びたリブ４０４でその外周が覆われている。そして、リブ４０４のうち、後方に位置するリブはリブ内（前方）に向かって凹んだ凹み部４０５を備えている。そして、隔壁２０２の膨出部２０５は凹み部４０５に沿った形状としている。このため、隔壁２０２の上端部２０５ａは、凹み部４０５と一致させることができ、掃除機の外観意匠を向上することができる。
【００２９】
また、フィルター保持部材１０４の枠１０６の後方に位置する部分をフィルター保持部材１０４の枠１０６内（前方）に向かって凹んだ枠体凹み部１０６ａを備えている。この枠体凹み部１０６ａと凹み部４０５が上下方向に重なるように配置するようにすると、掃除機の外観意匠は向上する。
【００３０】
さらに、図２に示すように、フィルター収納部４０３が位置する蓋体４０２の外表面の部分を窪ませた窪み部４０６を形成すると掃除機の外観意匠がさらに向上する。この場合も、窪み部４０６の後方周縁を凹み部４０５と同様な形状とすると良い。そして、この窪み部４０６の後方周縁と隔壁２０２の膨出部２０５とが互いに沿った形状とすると良い。なお、蓋体４０２を透明又は半透明材料で構成した場合、この窪み部４０６はフィルター１０３を目視するための窓も兼ねる。
【００３１】
また、本実施例では、フィルター保持部材１０４を回動するための回動軸７０１の幅を、蓋体４０２の膨出部２０５の幅よりも小さくすることによって、回転角度を大きくしている。蓋体の膨出部２０５で隔壁の強度が向上しているので、補強リブ２０４の間隔を大きくすることができ、外観デザインに沿った形状で、かつ比較的大きなフィルターを収納している。
【００３２】
図５及び図６において、蓋体４０２の内側に設けたフィルター１０３は隔壁２０２の膨出部２０５の幅よりも内側に設けてある。このため補強リブ２０４が無い範囲であるので、フィルター面積を大きくすることができる。また、フィルター保持部材１０４は、蓋体４０２との間に空間を設けて空気流入通路５０１を構成している。この空気流入通路501はフィルター収納部４０３の両側に設けているので、集塵袋１０２が蓋体４０２に張り付いて、電気掃除機の吸込力が低下することを防止している。
【図面の簡単な説明】
【００３３】
【図１】本発明の実施の形態の一例に係る電気掃除機の本体断面図である。
【図２】図１のＡ部拡大図である。
【図３】本発明の一実施例に係る電気掃除機の全体外観図である。
【図４】本発明の一実施例に係る掃除機本体の外観図である。
【図５】本発明の一実施例に係る電気掃除機の蓋体外観図である。
【図６】本発明の一実施例に係る蓋体４０２を内側（裏面側）から見た図である。
【図７】本発明の一実施例に係る蓋体４０２を内側から見た外観斜視図である。
【図８】従来の電気掃除機の本体断面図である。
【図９】図８のＢ部拡大図である。
【符号の説明】
【００３４】
１０２…集塵袋、１０３…フィルター、１０４…フィルター保持部材、１０６…枠、
１０６ａ…枠体凹み部、２０１…シール部材、２０２…隔壁、２０３…シール面、２０４…補強リブ、２０５…膨出部、２０５ａ…上端部、２０６…空間部、４０１…集塵室、
４０２…蓋体、４０３…フィルター収納部、４０４…リブ、４０５…凹み部、４０６…窪み部、５０１…空気流入通路。
【図１】
2007202878.tif 000003
【図２】
2007202878.tif 000004
【図３】
2007202878.tif 000005
【図４】
2007202878.tif 000006
【図５】
2007202878.tif 000007
【図６】
2007202878.tif 000008
【図７】
2007202878.tif 000009
【図８】
2007202878.tif 000010
【図９】
2007202878.tif 000011